(57)【要約】      （修正有）【課題】補修工期を短縮でき、船舶等の通行障害も無く、作業員の水中作業時間が短い安全性に優れたコンクリート製構造物の水中壁面の補修用構成体及びその補修工法を提供する。【解決手段】水底地盤５１に配置するコンクリート製の型枠支持盤２は、基板３と略直角に起立する支持板４とから成る。コンクリート製構造物５２の補修壁面５２Ｂを含む水中壁面５２Ａに対向して型枠支持盤２に下端を支承させ、上端側は構造物５２の上端側に支持させて型枠６を設置する。型枠支持索８は水中壁面５２Ａに基端側を固着し、型枠６にコード８Ａの先端側を挿通してクリップ８Ｄにより係着し、型枠６を水中壁面５２Ａに対して約５００ｍｍの間隔に支持する。型枠６と水中壁面５２Ａとの空間７に水中不分離性モルタルを充填固化して水中壁面５２Ａをコンクリート層１０で覆い、型枠６は型枠支持索８から離脱させて撤去する。【選択図】図１
2017025585.tif 000002
【特許請求の範囲】
【請求項１】
水底地盤に配置する基板の一端側から略直角に支持板が起立するコンクリート製の型枠支持盤と、該型枠支持盤に下端が支承され、前記支持板に沿ってコンクリート製構造物の補修壁面を含む水中壁面に対向して起立し、上端側は該構造物の上端側に支持される複数の型枠と、前記水中壁面に基端側を固着し、該各型枠に先端側を係止することにより型枠を水中壁面に対して一定の間隔に支持する複数の型枠支持索とから構成し、前記型枠と前記水中壁面との空間にセメントを充填固化して該水中壁面をコンクリート層で覆い、前記型枠は前記型枠支持索から離脱させて該コンクリート層から撤去するようにした構造物の水中壁面の補修用構成体。
【請求項２】
水底地盤に配置する基板の一端側から略直角に支持板が起立するコンクリート製の型枠支持盤と、前記水底地盤に構築するコンクリート製構造物の補修壁面を含む水中壁面に対向して該型枠支持盤から上方に積重する横長長方形の複数の永久型枠パネルからなる型枠と、該型枠から前記水中壁面にかけて挿着することにより該型枠を該水中壁面に対して一定の間隔に支持する複数の型枠支持ロッドと、前記型枠と前記水中壁面との空間にセメントを充填固化して前記水中壁面をコンクリート層で覆うようにした構造物の水中壁面の補修用構成体。
【請求項３】
前記基板には、水平状態に設定するための複数の水平調整具を設けてあることを特徴とする請求項１又は２記載の構造物の補修水中壁面の補修用構成体。
【請求項４】
前記型枠は、縦長長方形の板体からなる請求項１記載の構造物の水中壁面の補修用構成体。
【請求項５】
前記型枠支持索は、非腐食性、非発錆性のコードと、該コードの基端側に固着され、前記水中壁面に固着する固定軸と、前記型枠に挿通する前記コードの先端側に着脱可能に設けることにより該型枠を支持する係止具とから構成してなる請求項１記載の構造物の水中壁面の補修用構成体。
【請求項６】
前記型枠支持索は、コードの長手方向途中に１以上のコンクリート係止塊を設けてあることを特徴とする請求項５記載の構造物の水中壁面の補修用構成体。
【請求項７】
前記型枠支持ロッドは、モルタルに非金属製補強材を混入して成形したものである請求項２記載の構造物の水中壁面の補修用構成体。
【請求項８】
前記コンクリート層は、前記水中壁面に突設する複数の差筋アンカーによって支持するようにしてあることを特徴とする請求項１又は２記載の構造物の水中壁面の補修用構成体。
【請求項９】
基板から支持板が起立する略Ｌ字状のコンクリート製型枠支持盤を成形する工程と、水底の地盤を整地する工程と、整地した地盤に前記基板を位置させて前記支持板がコンクリート製構造物の補修壁面を含む水中壁面に対向する状態に前記型枠支持盤を設置する工程と、該支持板に支承させて該水中壁面に対向する状態に型枠を配置する工程と、前記水中壁面に基端側を固着し、該型枠に先端側を係止する複数の型枠支持索により該型枠を前記水中壁面に対して一定の間隔に支持することにより、該型枠と水中壁面との間に空間を形成する工程と、該空間にセメントを充填して前記水中壁面を覆うコンクリート層を形成する工程と、該コンクリート層の形成後に前記型枠支持索から離脱させて前記型枠を撤去する工程とからなる構造物の水中壁面の補修工法。
【請求項１０】
基板から支持板が起立する略Ｌ字状のコンクリート製型枠支持盤を成形する工程と、水底の地盤を整地する工程と、整地した地盤に前記基板を位置させて前記支持板がコンクリート製構造物の補修壁面を含む水中壁面に対向する状態に前記型枠支持盤を設置する工程と、横長長方形の永久型枠パネルを前記水中壁面に対向して前記型枠支持盤から上方に積重して型枠を形成する工程と、該型枠から前記水中壁面にかけて型枠支持ロッドを挿通することにより該型枠と水中壁面との間に空間を形成する工程と、該空間にセメントを充填して前記水中壁面を覆うコンクリート層を形成する工程とからなる構造物の水中壁面の補修工法。
【発明の詳細な説明】
【技術分野】
【０００１】
本発明は、防波堤、岸壁、護岸等のコンクリート構造物の水没している水中壁面の損壊を短期間で安全かつ安価に、また船舶等の航行への影響も無く補修することができる構造物の水中壁面の補修用構成体及びその補修工法に関する。
【背景技術】
【０００２】
例えば、港湾に設置するコンクリート製の防波堤はコンクリートの経年劣化により、また波力や流氷の衝突によってその水中壁面が次第に損壊するが、この損壊は放置すると次第に拡大して防波堤としての強度性が損なわれる事態に至る。そこで、従来の補修方法は、損壊壁面を囲繞するように足場を海底の地盤から立ち上げ、足場に防波板を囲繞するように設置して作業空間を形成する作業場を組立て、作業空間内で作業員が損壊壁面にモルタル塗布等の補修作業を行うようにしている。
【先行技術文献】
【特許文献】
【０００３】
【特許文献１】見い出せず。
【発明の概要】
【発明が解決しようとする課題】
【０００４】
しかし、上述した従来技術は、作業空間を形成するために防波堤から略１，５００ｍｍ湾内に突出する状態で作業場を設置するため、港湾内での船舶の航行の障害になるという問題がある。また、繰り返し波力を受ける海中に作業場を設置するには相応の強度性が必要であり、このために設置日数と多大な労力を要するという問題、費用が嵩むという問題、作業中の天候の急変による作業員の安全性確保という問題がある。
【０００５】
本発明は上述した従来技術の諸問題に鑑みなされたもので、水中に従来の作業場を設置しないので補修工期を短縮できるし、港湾内への突出量も最小限であるので船舶等の航行障害も無く、作業員の水中作業時間も短いので安全性に優れているコンクリート製構造物の水中壁面の補修用構成体及びその補修工法を提供することを目的とする。
【課題を解決するための手段】
【０００６】
上述した課題を解決するために構成した請求項１に係る本発明は、水底地盤に配置する基板の一端側から略直角に支持板が起立するコンクリート製の型枠支持盤と、該型枠支持盤に下端が支承され、前記支持板に沿ってコンクリート製構造物の補修壁面を含む水中壁面に対向して起立し、上端側は該構造物の上端側に支持される複数の型枠と、前記水中壁面に基端側を固着し、該型枠に先端側を係止することにより型枠を水中壁面に対して一定の間隔に支持する複数の型枠支持索とから構成し、前記型枠と前記水中壁面との空間にセメントを充填固化して前記水中壁面をコンクリート層で覆い、前記型枠は前記型枠支持索から離脱させて該コンクリート層から撤去するようにしたものからなる。
【０００７】
また、請求項２に係る発明を構成する手段は、水底地盤に配置する基板の一端側から略直角に支持板が起立するコンクリート製の型枠支持盤と、前記水底地盤に構築するコンクリート製構造物の補修壁面を含む水中壁面に対向して該型枠支持盤から上方に積重する横長長方形の複数の永久型枠パネルからなる型枠と、該型枠から前記水中壁面にかけて挿着することにより該型枠を水中壁面に対して一定の間隔に支持する複数の型枠支持ロッドと、前記型枠と前記水中壁面との空間にセメントを充填固化して該水中壁面をコンクリート層で覆うようにしたものからなる。
【０００８】
そして、前記基板には、水平状態に設定するための複数の水平調整具を設けるとよい。
【０００９】
また、前記型枠は、縦長長方形の板体であるとよい。
【００１０】
また、前記型枠支持索は、非腐食性、非発錆性のコードと、該コードの基端側に固着され、前記補修水中壁面に埋設する固定軸と、前記型枠に挿通する前記コードの先端側に着脱可能に設けることにより該型枠を支持する係止具とから構成するとよい。
【００１１】
また、前記型枠支持索は、コードの長手方向途中に１以上のコンクリート係止塊を設けるとよい。
【００１２】
更に、前記型枠支持ロッドは、モルタルに非金属製補強材を混入して成形したものであるとよい。
【００１３】
更に、前記コンクリート層は、前記水中壁面に突設する複数の差筋アンカーによって支持するようにするとよい。
【００１４】
また、請求項９に係る本発明を構成する手段は、基板から支持板が起立する略Ｌ字状のコンクリート製型枠支持盤を成形する工程と、水底の地盤を整地する工程と、整地した地盤に前記基板を位置させて前記支持板がコンクリート製構造物の補修壁面を含む水中壁面に対向する状態に前記型枠支持盤を設置する工程と、該支持板に支承させて該水中壁面に対向する状態に型枠を配置する工程と、前記水中壁面に基端側を固着し、該型枠に先端側を係止する複数の型枠支持索により該型枠を前記水中壁面に対して一定の間隔に支持することにより、該型枠と水中壁面との間に空間を形成する工程と、該空間にセメントを充填して前記水中壁面を覆うコンクリート層を形成する工程と、該コンクリート層の形成後に前記型枠支持索から離脱させて前記型枠を撤去する工程とからなる。
【００１５】
更に、請求項１０に係る本発明を構成する手段は、基板から支持板が起立する略Ｌ字状のコンクリート製型枠支持盤を成形する工程と、水底の地盤を整地する工程と、整地した地盤に前記基板を位置させて前記支持板がコンクリート製構造物の補修壁面を含む水中壁面に対向する状態に前記型枠支持盤を設置する工程と、横長長方形の永久型枠パネルを前記水中壁面に対向して前記型枠支持盤から上方に積重して型枠を形成する工程と、該型枠から前記水中壁面にかけて型枠支持ロッドを挿通することにより該型枠と水中壁面との間に空間を形成する工程と、該空間にセメントを充填して前記水中壁面を覆うコンクリート層を形成する工程とからなる。
【発明の効果】
【００１６】
本発明は上述の如く構成したから、下記の諸効果を奏する。
（１）型枠は型枠支持盤と型枠支持索とによって水中壁面に近接した状態で設置し、形成した空間にセメントを充填固化して水中壁面をコンクリート層で覆う構成にしたから、型枠は従来の作業場の略半分しか港湾内に突出しないので船舶の航行を妨げることがないし、作業足場は設置しないので補修作業を短期間で行うことができる。
（２）補修壁面を含む水中壁面を覆うコンクリート層の外面を複数の永久型枠パネルからなる型枠で覆う構成にしたから、コンクリート層の耐久性を高めることができる。また、型枠は横長長方形の永久型枠パネルを複数積重する構成にしたから、型枠は補修壁面の高さを勘案して水中壁面を覆う高さに設定することができる。
（３）型枠支持盤の基板は、互いに離間して設けた複数の平調整具によって略水平の状態に調整できるから、起立する型枠を略垂直に支承することができる。
（４）型枠は縦長長方形の板体に形成したから、高さのある補修壁面の補修作業に対応することができる。
（５）型枠支持索は、非腐食性、非発錆性のコードと、モルタル製の固定軸で構成したから、コンクリート層に埋設状態になってもコードは強度性を損なうことがないし、従来の金属製セパレータのような錆による腐食が全く無いのでコンクリート層を劣化させることがない。
（６）型枠を支持する型枠支持索は、基端側を補修壁面を含む水中壁面に固着し、先端側を型枠に挿通して係止具で外側から係止する構成にしたから、型枠と水中壁面との空間にセメントを充填する際に受ける圧力に抗することができる強度性を有し、型枠の設置作業を容易に迅速に行うことができる。
（７）型枠支持索は、コードの長手方向途中に１以上のコンクリート係止塊を設けたから、コンクリート層を強固に固定することができるのでコンクリート層が水中壁面から剥離する事態を防止できる。
（８）先端側を水中壁面に挿着する型枠支持ロッドによって型枠の永久型枠パネルを支持する構成にしたから、型枠の配設工事を短期間で行うことができるし、型枠を確実に支持することが出来る。
（９）コンクリート層は水中壁面に突設する複数の差筋アンカーで支持する構成にしたから、コンクリート層が水中壁面から剥離する現象を強固に防止することができる。
【図面の簡単な説明】
【００１７】
【図１】図１乃至図８は本発明の第１の実施の形態に係り、図１は補修用構成体の全体構成を示す縦断面図である。
【図２】型枠支持盤の平面図である。
【図３】型枠支持盤の正面図である。
【図４】型枠支持盤の背面図である。
【図５】図２中のＶ−Ｖ矢示方向断面図である。
【図６】型枠支持盤の中央縦断面図である。
【図７】図３中のＶＩＩ−ＶＩＩ矢示方向断面図である。
【図８】型枠支持索の構成説明図である。
【図９】図９及び図１０は第２の実施の形態に係り、図９は構造物の補修状態の説明図である。
【図１０】補修用構成体の全体構成を示す縦断面図である。
【発明を実施するための形態】
【００１８】
以下、本発明の実施の形態を図面に基づき詳述する。図１乃至図８は第１の実施の形態を示す。図において、５１は海底の地盤、５２は該地盤５１上に設置した防波堤を示し、該防波堤５２は水中壁面５２Ａの一部がコンクリートの経年劣化、波力の衝撃、流氷の衝突等により凹状に損壊して補修が必要な補修壁面５２Ｂになっている。
【００１９】
１は前記補修壁面５２Ｂを補修するための補修用構成体、２は該補修用構成体１を構成するコンクリート製の型枠支持盤を示す。３は該型枠支持盤２を構成し、海底地盤５２に設置する基板で、該基板３は平面視で略四角形に形成し、中央に横長四角形の充填穴３Ａを形成し、下面３Ｂの中央には前後方向に該充填穴３Ａに連通する凹溝３Ｃ、３Ｄを縦横方向に形成することにより、基板３は対角線上に位置して一対の前脚部３Ｅ、３Ｅと、後脚部３Ｆ、３Ｆが形成された形状からなっている。
そして、図７に示すように、各前脚部３Ｅには縦方向に軸挿通穴３Ｇ、該軸挿通穴３Ｇの下端側に六角形のナット嵌合穴３Ｈが同軸に形成してある。また、基板３の後側には前記充填穴３Ａの両側に位置して縦方向に軸挿通穴３Ｊ、該軸挿通穴３Ｊの下端側に六角形のナット嵌合穴３Ｋが同軸に形成してある。
【００２０】
４は基板２の後端側から略直角に起立する略四角形の支持板を示し、該支持板４は上端面４Ａに凹溝４Ｂが形成してあり、後述するコンクリート層１０と一体化するようにしてある。
【００２１】
５、５、・・は不整地の海底地盤５１に対して基板３を略水平状態に調整するための４個の水平調整具を示す。該各水平調整具５は前記軸挿通穴３Ｇ、３Ｊに回動可能に挿通した水平調整軸５Ａと、基板３のナット嵌合穴３Ｈ、３Ｋに嵌着し、該水平調整軸５Ａが螺合するナット５Ｂとから構成してある。そして、嵌着した該ナット５Ｂに水平調整軸５Ａを上方から螺合して回動することにより、水平調整軸５Ａは基板３の下面３Ｂに出入し、地盤５１に対して基板３を略水平状態に調整することができるようになっている。
ここで、水平調整軸５Ａ及びナット５Ｂはモルタル製で、該モルタルには耐塩害性、化学抵抗性及びひび割れ抵抗性に優れた「高炉スラグ、繊維入りポリマーセメントモルタル」商品名「エフモル」（登録商標）を用いることで、水平調整軸５Ａ及びナット５Ｂに強度性、耐久性を持たせてある。
【００２２】
６は補修壁面５２Ｂを覆う後述するコンクリート層１０を形成するモルタルを充填するための空間７を形成する鋼板製の型枠を示す。該型枠６は平板部６Ａと、該平板部６Ａに突設した補強リブ６Ｂと、平板部６Ａに適宜の間隔で形成した複数のコード挿通穴６Ｃとから構成してある。
【００２３】
８は補修壁面５２Ｂを含む水中壁面５２Ａに対して前記型枠６を一定の間隔、約５００ｍｍの間隔に支持するための型枠支持索を示す。該型枠支持索８は、カーボン繊維、ガラス繊維等の非腐食性、非発錆性で強度性に優れたコード８Ａと、該コード８Ａの途中を結わえて形成した複数のコンクリート係止塊８Ｂ、８Ｂと、モルタルにより丸棒状に成形し、コード８Ａの基端側に固着した固定軸８Ｃと、型枠６のコード挿通穴６Ｃに挿通したコード８Ａに着脱可能に係着して型枠６を固定するクリップ８Ｄとから構成してある。
なお、クリップ８Ｄはコード８Ａに挿着する拘持筒８Ｄ１と、該拘持筒８Ｄ１に挿入してコード８Ａを押圧しながら挟持する楔８Ｄ２とから構成してあり、楔８Ｄ２は合成樹脂製の紐８Ｄ３で拘持筒８Ｄ１に連結することで、作業時の落下や保管時の紛失を防止している。
【００２４】
上述の構成からなる型枠支持索８は、補修壁面５２Ｂを含む水中壁面５２Ａに穿設した挿着穴５２Ｃにモルタルを充填して固定軸８Ｃを挿入固着する。コード８Ａは型枠６のコード挿通穴６に挿通して外側に引出し、コード８Ａにクリップ８Ｄを係着し、型枠６に圧接させることによりコード８Ａを緊張状態に張設する。
これにより、型枠６は水中壁面５２Ａに側に引き寄せられた状態で支持されるから、空間７にモルタルを充填する場合の圧力に抗することができる。
【００２５】
９、９、・・はコンクリート層１０が水中壁面５２Ａから剥離するのを防止する差筋アンカーを示す。該差筋アンカー９は水中壁面５２Ａに適宜の間隔で挿設してある。該各差筋アンカー９は軸部９Ａと、該軸部９Ａの先端に形成した頭部９Ｂとからなり、水平調整軸５Ａ、ナット５Ｂと同じ材料のエフモルで成形してある。そして、差筋アンカー９は水中壁面５２Ａから突出する部位がコンクリート層１０に埋設した状態になることで、コンクリート層１０が水中壁面５２Ａから剥離するのを防止している。
【００２６】
本実施の形態は上述の構成からなるもので、次にその施工及び作用について説明する。先ず、防波堤５２の水中壁面５２Ａを検査して補修壁面５２Ｂの状態を確認し、海藻等の付着物を除去する。次に、補修壁面５２Ｂの下方の海底地盤５１を掘削し、出来るだけ水平状態に整地して型枠支持体２の基板３を設置する。この場合、型枠６が水中壁面５２Ａから約５００ｍｍ離間した状態で対面するように、基板３の位置を決定する。また、基板３は補修壁面５２Ｂの横方向の幅に対応して適宜の数を列設する。
【００２７】
基板３を設置する地盤５１は海底であるし、水中作業であるために完全に平坦な整地にすることは困難であり、基板３が略水平の状態になるように各水平調整具５の水平調整軸５Ａを回動して上下動させることで調整を行う。基板３を水平状態に調整したら、基板３の周囲と下側を埋めるようにモルタルを充填して間詰めコンクリートＭで地盤５１と略同一面になるように固定する。モルタルは基板３の周囲の地盤５１及び充填穴３Ａから凹溝３Ｃ、３Ｄ内に流入することで、基板３は間詰めコンクリートＭに埋没した状態で地盤５１に強固に設置した状態になる。
なお、型枠６を水中壁面５２Ａから約５００ｍｍ離間した状態に配置するのに必要であれば、防波堤５２の上端にコンクリート製の張出部５２Ｄを形成する。
【００２８】
次に、型枠６を水中壁面５２Ａに約５００ｍｍ離れた状態で対向配設する。基板３の上に型枠６を乗せて下端６Ｃを支承させ、上端６Ｄは防波堤１の上端側或いは張出部５２Ｃに型枠支持具８或いはボルトで固定し、型枠６と水中壁面５２Ａとの間に約５００ｍｍのモルタル充填用の空間７を形成する。
【００２９】
上述の如くして形成した空間７内に作業員が側方から入り、配置した型枠６を型枠支持索８によって水中壁面５２Ａに固定する作業を行う。即ち、型枠６のコード挿通穴６Ｃの位置に対応して水中壁面５２Ａにドリルで挿着穴５２Ｃを穿設する。この挿着穴５２Ｃにモルタルを充填して型枠支持索８の挿着軸８Ｃを挿入固着し、水中壁面５２Ａに複数の型枠支持索８を挿着したら、コード８Ａを型枠６のコード挿通穴６Ｃに通して外側に引き出した状態にする。
【００３０】
次に、型枠６の外側に引き出したコード８Ａに張力を加えながらクリップ８Ｄを係着し、型枠６を水中壁面５２Ａ側に付勢した状態で設置する。
このようにして、全ての型枠支持索８によって型枠６を水中壁面５２Ａに支持させ、型枠６が補修壁面５２Ｂを含む水中壁面５２Ａを覆った状態に設置したら、空間７に上方から水中不分離性モルタルを充填して補修壁面５２Ｂを含む水中壁面５２Ａを完全に覆う状態にする。図１はモルタルの充填途中を示しているが、空間７に完全に充填してモルタルを硬化させる。モルタルの硬化により形成されたコンクリート層１０は、コード８Ａに形成した複数の係止塊８Ｂに係着し、また複数本の差筋アンカー９が埋設した状態になるから、水中壁面５２Ａに密着した状態になり剥離することがない。
【００３１】
最後に、コンクリート層１０を形成したらクリップ８Ｄをコード８Ａから取り外し、コード８Ａから型枠６を引き出して撤去することにより、補修作業は完了する。なお、コード８Ａはコンクリート層１０に埋設した状態で残るが強度性のある非発錆性材料で成形してあるから、コンクリート層１０を強固に支持すると共に、劣化させることもない。
【００３２】
このように，本実施の形態において、金属板の型枠６は撤去することで、水中壁面５２Ａは発錆によりコンクリートを劣化させる金属類は使わずに補修するようにしたから、耐久性に優れているし、型枠６は再使用できるからコスト面でも安価にできる。また、水中壁面５２Ａに対する作業は挿着穴５２Ｃの穿設、水中壁面５２Ａと型枠６との間に型枠支持索８の張設、モルタルの充填、型枠６の撤去だけであるから、約５００ｍｍの空間７で無理なく行うことが出来る。
【００３３】
次に、図９及び図１０は第２の実施の形態を示す。なお、本実施の形態において第１の実施の形態の構成要素と同一の構成要素には同一の符号を付して援用し、その説明を省略する。図において、１１は架設足場で、該架設足場１１は鋼材からなる縦支柱１１Ａを型枠支持盤２の各々に支持させて所定の間隔で立設し、上端側を上下の横支柱１１Ｂ、１１Ｃで連結し、各縦支柱１１Ａから後方に向けて略直角に腕支柱１１Ｄを突設し、腕支柱１１Ｄは連結材１１Ｅ、１１Ｅで連結して構成してあり、水中壁面に対向した状態で防波堤５２の上面５２Ｅに係止するようにしてある。
【００３４】
１２は補修用構成体、１３、１３、・・・は該補修用構成体１２を構成し、水中壁面５２Ｂに対向して前記架設足場１１の内側に形成した型枠で、該型枠１３は横長長方形の永久型枠パネル１３Ａを型枠支持盤２から上方に順次積重して形成してある。永久型枠パネル１３Ａは高強度スラグと炭素繊維等の強化繊維を混入した厚さ約１５０ｍｍのコンクリートパネルからなる。
また、１４は永久型枠パネル１３Ａと同材料からなり、一側面に六角形の凹部を連設して形成した厚さ約１５０ｍｍのハニカムパネルで、該ハニカムパネル１４は型枠１３の内側に型枠支持盤２から上方に順次積重して形成してあり、構造物の耐久性を高めるために設置してある。
【００３５】
１５、１５、・・・は前記型枠１３からハニカムパネル１４に挿通して先端側１５Ａを水中壁面５２Ａに挿着した複数本の型枠支持ロッドで、該各型枠支持ロッド１５はモルタルに高強度スラグと炭素繊維等の強化繊維を混入してなる商品名エフモルで成形することにより強度性を持たせてある。
そして、複数本の型枠支持ロッド１５で型枠１３と水中壁面５２Ａとの間に空間７（図１参照）を形成し、この空間７に水中不分離性モルタルを充填し固化することにより水中壁面５２Ａを覆うコンクリート層１０を成形する。モルタルの充填が終了したら架設足場１１を撤去する。
【００３６】
本実施の形態によれば、コンクリート層１０を複数の永久型枠パネル１３Ａからなる型枠１３で覆う構成にしたから、コンクリート層１０の耐久性を高めることが出来る。
【００３７】
また、型枠１３は横長長方形の永久型枠パネル１３Ａを高さ方向に積重して構成するようにしたから、補修壁面５２Ｂの高さを勘案して水中壁面５２Ａを覆う高さを設定できる。
【００３８】
本発明は上記実施の形態から明らかなように、金属材料は一切使用しないで構造物の水中壁面の補修を行う構成にしたから、構造物の発錆による強度性の低下や劣化の問題を解決できるし、高強度スラグと炭素繊維等の強化繊維を混入したモルタル（商品名エフモル）で型枠、型枠支持ロッドを成形したから強度性に優れているし、腐食の問題も生じない。
【符号の説明】
【００３９】
１、１２    補修用構成体
２        型枠支持盤
３        基板
４        支持板
５        水平調整具
６、１３    型枠
７        空間
８        型枠支持索
８Ａ      コード
８Ｂ      コンクリート係止塊
８Ｃ      固定軸
８Ｄ      クリップ（係止具）
９        差筋アンカー
１０      コンクリート層
１３Ａ    永久型枠パネル
１５      型枠支持ロッド
５１      地盤
５２      防波堤（コンクリート製構造物）
５２Ａ    水中壁面
５２Ｂ    補修壁面
【図１】
2017025585.tif 000003
【図２】
2017025585.tif 000004
【図３】
2017025585.tif 000005
【図４】
2017025585.tif 000006
【図５】
2017025585.tif 000007
【図６】
2017025585.tif 000008
【図７】
2017025585.tif 000009
【図８】
2017025585.tif 000010
【図９】
2017025585.tif 000011
【図１０】
2017025585.tif 000012